(57)【要約】【課題】感光体等の像担持体上に潤滑剤を塗布するに際し、潤滑剤の長手方向に削れ量の偏差が発生することに対して、潤滑剤の削れ量を均一に保持する構成を設けることで、画像品質の低下や、潤滑剤の寿命効率低下を防止することを可能とした潤滑剤塗布装置を提供する。【解決手段】潤滑剤２１と、塗布ブラシ２２と、潤滑剤２１を塗布ブラシ２２に加圧する加圧手段２６とを備えた潤滑剤塗布装置２０において、潤滑剤２１が塗布ブラシ２２に加圧される加圧力Ａに、塗布ブラシ２２の回転軸の一端側と他端側とで差がある。【選択図】      図６
2010145877.tif 000002
【特許請求の範囲】
【請求項１】
潤滑剤と、
塗布ブラシと、
前記潤滑剤を前記塗布ブラシに加圧する加圧手段とを備えた潤滑剤塗布装置において、
前記加圧手段による前記潤滑剤が前記塗布ブラシに加圧される加圧力に、前記塗布ブラシの回転軸の一端側と他端側とで差がある
ことを特徴とする潤滑剤塗布装置。
【請求項２】
請求項１の潤滑剤塗布装置において、
前記塗布ブラシは、ブラシ繊維を植毛した帯状の基布を回転軸に螺旋状に巻き付けて構成される
ことを特徴とする潤滑剤塗布装置。
【請求項３】
請求項２の潤滑剤塗布装置において、
前記潤滑剤、前記塗布ブラシ及び前記加圧手段とを収容するケースを備え、
前記塗布ブラシの巻き目によって前記潤滑剤が前記塗布ブラシの回転長手方向に移動して前記潤滑剤の前記塗布ブラシの回転長手方向の一端面と前記ケースとが摺擦する
ことを特徴とする潤滑剤塗布装置。
【請求項４】
請求項３の潤滑剤塗布装置において、
前記加圧手段による加圧力の差は、前記潤滑剤の一端面と前記ケースとの摺擦抵抗が補正されるように加圧される
ことを特徴とする潤滑剤塗布装置。
【請求項５】
請求項４の潤滑剤塗布装置において、
前記潤滑剤の前記塗布ブラシの回転軸の一端側であって、前記潤滑剤の一端面を備える側の加圧力が、他端側の加圧力よりも大きい
ことを特徴とする潤滑剤塗布装置。
【請求項６】
請求項５の潤滑剤塗布装置において、
前記加圧手段は、前記塗布ブラシの回転長手方向に複数独立して設けられている
ことを特徴とする潤滑剤塗布装置。
【請求項７】
潜像を形成する感光体と、
前記感光体の表面を帯電させる帯電装置と、前記感光体にトナーを供給して現像する現像装置と、前記感光体に残留するトナーを除去するクリーニング装置とのうち少なくとも一つを備え、
画像形成装置本体に対して着脱可能に構成されているプロセスユニットにおいて、
請求項１ないし６のいずれか１項に記載の潤滑剤塗布装置を備えている
ことを特徴とするプロセスユニット。
【請求項８】
潜像を形成する感光体と、
前記感光体の表面を帯電させる帯電装置と、
前記感光体の表面を露光して静電潜像を形成する露光装置と、
前記感光体の表面に形成された静電潜像にトナーを供給して可視画像化する現像装置と、
前記感光体の表面に形成された可視画像を直接的に又は像担持体としての中間転写体を介して間接的に記録媒体に転写する転写装置と、
前記感光体の表面に残留するトナーを除去するクリーニング手段とを備える画像形成装置において、
前記感光体又は中間転写体に潤滑剤を供給する、請求項１から６のいずれか１項に記載の潤滑剤塗布装置を備えている
ことを特徴とする画像形成装置。
【発明の詳細な説明】
【技術分野】
【０００１】
本発明は複写機、プリンタ、ファクシミリ等の電子写真方式に用いられる潤滑剤塗布装置と、この潤滑剤塗布装置を一体で交換可能な構造としてなるプロセスカートリッジ及びこれらを備えている画像形成装置に関する。
【背景技術】
【０００２】
複写機等の電子写真装置の画像形成部では、その転写工程において転写紙に転写されずに、感光体や中間転写体といった像担持体上に残留したトナーや付着物を除去するためのクリーニング装置を必要としている。このクリーニング装置のクリーニング手段としては一般的にゴム等の弾性体からなるクリーニングブレードが使用されており、像担持体の移動に対してカウンタ方向に当接されているのが一般である。
また一方で、像担持体の表面摩擦係数を所望の数値に保ち、像担持体にトナーの添加物が固着することを防止することや、転写工程にて摩擦力増大によってトナーが転写しきれずに像担持体上に残ってしまうことを防止するために、像担持体表面にステアリン酸亜鉛等の潤滑剤を塗布する機構を設けることも周知である（例えば特許文献１参照）。
転写工程の下流で、加圧当接された潤滑剤バーを塗布ブラシ（以下、単に「ブラシ」ということもある。）で削り取り、ブラシに付着した潤滑剤を像担持体へ付着させる。その下流に配置されたカウンタで当接しているクリーニングブレードで像担持体に付着した潤滑剤を薄く延ばして定着させる。また同時にクリーニングブレードは像担持体の残留トナーを掻き取り、像担持体表面をクリーニングして次の画像に備える。
潤滑剤塗布機構における課題のひとつとして、潤滑剤の消費偏差が挙げられる。これは潤滑剤がブラシによって削れられていく過程で、長手方向で削れ量に偏差が生じてしまうものである。
【０００３】
【特許文献１】特開２００４−３０９９４０号公報
【発明の開示】
【発明が解決しようとする課題】
【０００４】
本発明は、こうした従来の問題にかんがみてなしたものであり、感光体等の像担持体上に潤滑剤を塗布するに際し、潤滑剤の長手方向に削れ量の偏差が発生することに対して、潤滑剤の削れ量を均一に保持する構成を設けることで、画像品質の低下や、潤滑剤の寿命効率低下を防止することを可能とした潤滑剤塗布装置、プロセスカートリッジ、画像形成装置を提供することを課題とする。
【課題を解決するための手段】
【０００５】
この課題に対して、本発明の潤滑剤塗布装置は、潤滑剤と、塗布ブラシと、前記潤滑剤を前記塗布ブラシに加圧する加圧手段とを備えた潤滑剤塗布装置において、前記潤滑剤が前記塗布ブラシに加圧される加圧力に、前記塗布ブラシの回転軸の一端側と他端側とで差があることを特徴とする。
また、本発明の潤滑剤塗布装置は、さらに、前記塗布ブラシは、ブラシ繊維を植毛した帯状の基材を回転軸に螺旋状に巻き付けて構成されることを特徴とする。
また、本発明の潤滑剤塗布装置は、さらに、前記潤滑剤、前記塗布ブラシ及び前記加圧手段とを収容するケースを備え、前記塗布ブラシの巻き目によって前記潤滑剤が前記塗布ブラシの回転長手方向に移動して前記潤滑剤の前記塗布ブラシの回転長手方向の一端面と前記ケースとが摺擦することを特徴とする。
また、本発明の潤滑剤塗布装置は、さらに、前記加圧手段による加圧力の差は、前記潤滑剤の一端面と前記ケースとの摺擦抵抗が補正されるように加圧されることを特徴とする。
また、本発明の潤滑剤塗布装置は、さらに、前記潤滑剤の前記塗布ブラシの回転軸の一端側であって、前記潤滑剤の一端面を備える側の加圧力が、他端側の加圧力よりも大きいことを特徴とする。
また、本発明の潤滑剤塗布装置は、さらに、前記加圧手段は、前記塗布ブラシの回転長手方向に複数独立して設けられていることを特徴とする。
【０００６】
本発明のプロセスユニットは、像担持体としての感光体と、前記感光体の表面を帯電させる帯電装置と、前記感光体にトナーを供給して現像する現像装置と、前記感光体に残留するトナーを除去するクリーニング装置とのうち少なくとも一つを備え、画像形成装置本体に対して着脱可能に構成されているプロセスユニットにおいて、上述したいずれかに記載の潤滑剤塗布装置を備えていることを特徴とする。
本発明の画像形成装置は、像担持体としての感光体と、前記感光体の表面を帯電させる帯電装置と、前記感光体の表面を露光して静電潜像を形成する露光装置と、前記感光体の表面に形成された静電潜像にトナーを供給して可視画像化する現像装置と、前記感光体の表面に形成された可視画像を直接的に又は像担持体としての中間転写体を介して間接的に記録媒体に転写する転写装置と、前記感光体の表面に残留するトナーを除去するクリーニング装置とを備える画像形成装置において、前記感光体又は中間転写体に潤滑剤を供給する上述したいずれかに記載の潤滑剤塗布装置を備えていることを特徴とする。
【発明の効果】
【０００７】
本発明によれば、潤滑剤や塗布ブラシの片側のみに摺動抵抗力がかかることがないため塗布ブラシに掛ける当接圧の偏差が生じないことで、したがって潤滑剤の削れ量の偏差が生じることなく、均一な潤滑剤塗布を行うことができる。
【発明を実施するための最良の形態】
【０００８】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【０００９】
図１は、本発明の実施形態に係る潤滑剤塗布装置を備える画像形成装置を示す概略構成図である。 
図１に示すように、この画像形成装置２００は、フルカラー画像を形成する画像形成装置であって、読み取り部１１０、画像形成部１２０及び給紙部１３０とから主として構成されている。読み取り部１１０には第１読み取り走行体１１１、第２読み取り走行体１１２、結像レンズ１１３及び読み取りセンサ１１４が配置されている。 
また、画像形成部１２０には、４個のプロセスカートリッジ１２１（Ｙ、Ｃ、Ｍ、Ｋ）と、無端状の中間転写ベルト１２２と、二次転写ローラ１２３と、各プロセスカートリッジにトナーを供給する図示省略したトナーボトルが設けられている。プロセスカートリッジ１２１には、感光体１０と、この感光体１０の周囲に順次配置されたクリーニング装置３０、潤滑剤塗布装置２０、帯電装置４０及び現像装置５０が設けられている。 
中間転写ベルト１２２は、各プロセスカートリッジの感光体１０の上方に配置され、この中間転写ベルト１２２の下側の走行面が各感光体１０の周面に当接している。中間転写ベルト１２２は、各感光体１０の表面にそれぞれ形成された互いに異なる色のトナー像が重ねて転写される転写材として機能する。中間転写ベルト１２２を挟んで、感光体１０と対向する位置に、一次転写ローラ１２５が配置されている。各感光体１０上にトナー像を形成し、そのトナー像を中間転写ベルト１２２に転写する構成は、トナー像の色が異なるだけで、各プロセスカートリッジにおいて実質的に全て同一である。
プロセスカートリッジ列の下方には、帯電された像担持面に例えば画像情報に基づいてレーザ光を照射して静電潜像を形成する露光装置６０が配置されている。なお、中間転写ベルト１２２の表面及び転写ローラ１２３の表面に、それぞれ潤滑剤を塗布する潤滑剤塗布装置が設けられており、この潤滑剤塗布装置にそれぞれ隣接するようにクリーニング装置が設けられている。 
一方、給紙部１３０には、記録媒体としての転写紙を収容する給紙カセット１３１及び給紙ローラ１３２が設けられており、給紙ローラ１３２は、レジストローラ１３３を経て中間転写ベルト１２２と二次転写ローラ１２３との間のニップ部に向けて所定のタイミン 
グで転写紙を給送する。 
更に、二次転写ローラ１２３の出口には、定着装置１２６が配置されており、この定着装置１２６の後流には、排紙ローラ１２７及び排紙された記録紙を収納する排紙収納部１２８が設けられている。 
【００１０】
図２は、本発明の実施形態に係る潤滑剤塗布装置を備えるプロセスカートリッジ示す概略構成図である。 
図２に示すように、このプロセスカートリッジ１２１は、感光体１０と、この感光体１０の周囲に付設されたクリーニング装置３０、潤滑剤塗布装置２０、帯電装置４０及び現像装置５０とから主として構成されている。クリーニング装置３０には、感光体１０の表面に当接するクリーニングブレード３１が設けられている。クリーニングブレード３１は、感光体１０表面に残留するトナー等を回収し、清掃する。
潤滑剤塗布装置２０は、潤滑剤２１と、この潤滑剤２１と感光体１０との両方に接触して回転する潤滑剤塗布手段としての塗布ブラシ２２と、塗布ブレード２３と、潤滑剤２１を塗布ブラシ２２に対して押圧する加圧手段とから主として構成されている。塗布ブラシ２２は潤滑剤２１から削り取った粉末状の潤滑剤を感光体１０の表面に塗布する。塗布ブレード２３は、感光体１０の表面に塗布された潤滑剤を均してその厚さを均一にする。 
【００１１】
その他に、帯電装置４０は、感光体１０に当接するように配置された帯電ローラ４１と、この帯電ローラ４１を感光体１０に当接させる押圧手段４２とから主として構成されている。帯電ローラ４１は、感光体１０の表面を一様に帯電させる。 
現像装置５０は、感光体１０の表面に現像剤としてのトナーを供給して静電潜像を可視像化する現像ローラ５１と、現像剤収容部に収容された現像剤を攪拌する混合ローラ５２、攪拌、混合された現像剤を現像ローラ５１に供給する供給ローラ５３とから主として構成されている。 
中間転写ベルト１２２を挟んで感光体１０と対向する位置には上述したように、一次転写ローラ（転写バイアスローラ）１２５が設けられている。
なお、本発明の潤滑剤塗布装置２０は、中間転写ベルト１２２に適用することも可能である。中間転写ベルト１２２上に形成された未定着トナー像は、カラートナーが重ね合わせっており複数のトナー層からなっている。このために、中間転写ベルト１２２に接触しているトナー層は、二次転写ローラ１２３から最も距離が離れており、転写しずらい状況にある。そこで、潤滑剤塗布装置２０で中間転写ベルト１２２上に潤滑剤２１を塗布することで、中間転写ベルト１２２とトナー層との付着力を低下させ、転写性を向上させることができる。また、中間転写ベルト１２２上に残留する転写残トナーのクリーニング性も向上させることができる。
【００１２】
図３は、上述したプロセスカートリッジの部分拡大図であり、（ａ）は、組み立て図であり、（ｂ）は、組み立て後の図である。
図３に示すように、ケース１１は、少なくとも、潤滑剤２１、塗布ブラシ２２、図示していない加圧手段２６とを収容する。側板１２を備えたプロセスカートリッジ１２１のケース１１には潤滑剤ホルダ２５が形成されており、この潤滑剤ホルダ２５は潤滑剤２１を潤滑剤保持部材２４ごと収容する。潤滑剤保持部材２４の潤滑剤載置面と対向する下面には、潤滑剤２１を潤滑剤塗布手段としての塗布ブラシ２２に当接する加圧手段２６が設けられている。加圧手段２６については後述する。
ここで説明しているケース１１は、感光体１０等を備えるプロセスカートリッジ１２１を収納するケース１１を兼ねている。無論、潤滑剤２１を収納するケースと、それを含めて感光体１０を収納するケースが別個に設けることであっても良い。
潤滑剤ホルダ２５を備えたケース１１は、例えばポリカーボネート樹脂に硬化剤としてフィラーを混合した材質で構成されており、潤滑剤ホルダ２５は平面図上細長長方形の箱形を呈している。
側板１２を備えたケース１１の潤滑剤ホルダ２５には、潤滑剤保持部材２４に支持された潤滑剤２１が収容されており、この潤滑剤２１は、図示省略した加圧手段２６によって、側板１２相互間に回転自在に支持された塗布ブラシ２２に押圧されている。
【００１３】
図４は、潤滑剤を潤滑剤保持部材に配置してケースに収容した状態を示す図であり、（ａ）は、一部開放斜視図、（ｂ）は、潤滑剤保持部材の長さ方向に直交する断面図、（ｃ）は、潤滑剤保持部材の長さ方向に沿った部分断面図である。また、図４はそれぞれ運転開始初期、即ち潤滑剤２１の使用開始当初の状態を示している。以下、図を用いて、潤滑剤２１を塗布ブラシ２２へ押圧する加圧手段２６について説明する。
図４（ａ）及び（ｃ）において、潤滑剤保持部材２４の潤滑剤２１の載置面に対向する面に加圧手段２６が設けられている。この加圧手段２６は、所定間隔をおいて一対（一方は、図示省略）の加圧アーム２６が配置されており、この加圧アーム２６相互間に、例えばつるまきバネからなる加圧スプリング２６ａが架設されている。即ち、主として一対の加圧アーム２６とその間に架設された加圧スプリング２６ａによって加圧手段が構成されている。加圧スプリング２６ａによる加圧アーム２６相互間の間隔を狭くするように作用する復元力によって加圧アーム２６は、潤滑剤２１の消費に伴って次第に起立する。この加圧アーム２６の起立によって加圧アーム２６の下端部が潤滑剤ホルダ２５の底部を押圧し、その反力によって潤滑剤保持部材２４に支持された潤滑剤２１が塗布ブラシ２２に対して、常時所定の当接圧で当接するように付勢される。但し、図４（ａ）、（ｂ）、（ｃ）においては、運転開始当初であり、潤滑剤２１がほとんど消費されていないので、加圧アーム２６は、ほとんど起立していない。
【００１４】
潤滑剤保持部材２４を有する潤滑剤塗布装置２０は、上述した図２に示したように、感光体１０と、例えばクリーニング装置３０、帯電装置４０及び現像装置５０とを一体化したプロセスカートリッジ１２１に付設され、プロセスカートリッジ１２１の一部を構成する。このようなプロセスカートリッジ１２１は、上述した図１に示したように、画像形成装置に組みこまれて画像形成に供される。
【００１５】
図５は、塗布ブラシの構成を示す図である。
図５に示すように、塗布ブラシ２２は、ベルト幅および長さ方向に配列してブラシ毛が植設された基布２２ｂを、円筒形状の芯金の軸２２ａに螺旋状に重複させずに巻き付けて形成されている。
この基布２２ｂとしては、以下のものが挙げられる。１つの基布（ファースト・バッキング）２２ｂとしては、タフテッドカーペットのパイルをさし込む基布がある。素材はジュート、ポリプロピレン、綿、ビニロンなどが用いられ、組織は平織りあるいは不織布である。また、他の基布（セカンダリー・バッキング）２２ｂとしては、ダブルバッキングがある。これは、前述の基布２２ｂにラミネート（重ね合せた）基布２２ｂで、ジュートの織布、合繊の織物及び不織布、合成ゴム、天然ゴムなどが多い。この基布２２ｂに、裏側には巻き付けるための粘着性の両面テープが貼着させてもよい。
【００１６】
また、植設されたブラシ毛は、塗布ブラシ２２は、ナイロン、アクリル等の樹脂にカーボンブラック等の抵抗制御材料を添加して体積抵抗率１×１０３〜１×１０８Ω・ｃｍに調整した材料を用いて形成されている。塗布ブラシ２２の外、スポンジローラ、不織布ローラ等を使用してもよい。
塗布ブラシ２２のブラシ繊維の太さは、３〜８デニールが好ましく、ブラシ繊維の密度は２万〜１０万本／ｉｎｃｈ２が好ましい。ブラシ繊維の太さが細すぎると、塗布ブラシ２２が感光体１表面に当接したときに毛倒れを起こしやすくなり、逆にブラシ繊維が太すぎると繊維の密度を高くすることができなくなる。また、ブラシ繊維の密度が低いと感光体１０表面に当接するブラシ繊維の本数が少ないため、潤滑剤２１を均一に塗布することができず、逆にブラシ繊維の密度が高すぎると繊維と繊維の隙間が小さくなり、掻き取った潤滑剤２１の粉体の付着量が減るため、塗布量が不足してしまう。そこで、毛倒れを起こしにくくするためのブラシ繊維の太さと、潤滑剤２１の均一な塗布を効率的に行うことができるブラシ繊維の密度とを有する、上記設定範囲の塗布ブラシ２２とする。
なお、潤滑剤２１としては、オレイン酸鉛、オレイン酸亜鉛、オレイン酸銅、ステアリン酸亜鉛、ステアリン酸コバルト、ステアリン酸鉄、ステアリン酸銅、パルミチン酸亜鉛、パルミチン酸銅、リノレイン酸亜鉛等の脂肪酸金属塩類を用いることができるが、この中でも、ステアリン酸亜鉛が好ましい。
塗布ブラシ２２は、回転駆動することによって潤滑剤２１を削り取り、微粒子化した潤滑剤を感光体１０表面に供給する。その後、感光体１０表面と塗布ブレード２３との接触により、潤滑剤は引き延ばされて薄膜状になり、感光体１０表面の摩擦係数を低下させる。
【００１７】
本発明は、塗布ブラシ２２の回転線速方向に対向する側に潤滑剤２１に当接して潤滑剤２１の位置を規制する。これは、当接部が潤滑剤２１の塗布ブラシ２２の長手方向への移動を規制するに足る摺動抵抗を持った材質、形状である構成とするものである。
そのため本発明の潤滑剤塗布装置２０は、所定の加圧力で当接する固形状の潤滑剤２１を回転することにより削り取り、該削り取った潤滑剤２１を感光体１０に当接して塗布する塗布ブラシ２２を有する潤滑剤塗布装置２０であって、潤滑剤２１との当接位置での塗布ブラシ２２の回転線速方向に対向する側に潤滑剤２１に当接して潤滑剤２１の位置を規制する潤滑剤２１を備えるケース１１を有し、潤滑剤２１を備えるケース１１の潤滑剤２１への当接部が塗布ブラシ２２の長手方向への移動を規制するに足る摺動抵抗を持った材質または形状を有することを特徴とする。
【００１８】
以下に、潤滑剤２１が感光体１０の長手方向に、消費される偏差が生ずるメカニズムの一例を示している。これは、長手方向に、消費される偏差が、このメカニズムに限定するものではない。潤滑剤保持部材２４が潤滑剤２１を伴って図４中、上方に移動する際、潤滑剤保持部材２４と潤滑剤ホルダ２５の内壁面とが摺擦する。さらに、潤滑剤２１、潤滑剤保持部材２４の端部は、ケース１１の側板１２と面状で接触して摺擦する。
図６は、潤滑剤塗布機構の長手方向に消費される偏差が生ずる状態を示す模式図である。図７は、潤滑剤塗布機構の長手方向に消費される偏差が生じたことにより、潤滑剤の状態を示す模式図である。
図６に示すように、潤滑剤２１は加圧スプリング１２の両端に設けられた加圧アーム１１により加圧力Ａにて塗布ブラシ２２へ加圧されている。塗布ブラシ２２には、毛倒れや巻き目があることで、塗布ブラシ２２の回転力によって塗布ブラシ２２の長手方向に力が加わる（図中矢印Ｂ方向）。この長手方向の力が加わることで徐々に潤滑剤２１が移動していき、潤滑剤２１を収容している側板１２に突き当たる。側板１２に突き当たることで、塗布ブラシ２２を潤滑剤２１に突き当てる押圧力に対して、潤滑剤２１の端部と側板１２同士で摺擦することで摺動抵抗が生じる（図中矢印Ｃ）。この摺動抵抗により、潤滑剤２１の摺動抵抗が発生している側で塗布ブラシ２２へ加圧される力が減衰する。このために、側板１２に突き当たっている側の潤滑剤２１が削れにくくなる。この結果、図７に示すように、潤滑剤２１の削れ量の偏差が生じてしまうことがある。このために、潤滑剤２１の両端に加圧される加圧手段２６による加圧力Ａが同じでは、この潤滑剤２１の削れ量の偏差を解消することができない。
したがって、潤滑剤２１の削れ量の偏差が生じると感光体１０の摩擦係数に偏差が生じ、狙いの摩擦係数を維持することができず、画像品質に影響を与えてしまう。また図７の例ように片側に潤滑剤２１が残っていても反対側がなくなってしまっていると寿命となるため、残った分だけ寿命効率が下がってしまうこともある。
そこで、この摺動抵抗を予め考慮して、潤滑剤２１は加圧スプリング２６ａの両端に設けられた加圧アーム２６により加圧力Ａに差を設ける。これによって、潤滑剤２１の削れ量を長手方向に一定にすることができ、長期にわたって安定して、高品位の画像を得ることができる。
加圧力の差は、塗布ブラシ２２の回転の長手方向に複数独立して設けられている加圧手段２６によって調整される。その調整する手段としては、加圧力Ａに差は、加圧アーム２６の角度に差を設けるものであっても良い。また、その他に、加圧アーム２６にそれぞれ設ける加圧スプリング２６ａの強度に差を設けるものであっても良い。
【実施例】
【００１９】
（比較例１）
図８は、従来の潤滑剤塗布装置における加圧手段の実施形態の構成を示す図である。
図８に示すように、従来の加圧手段では、１本の加圧スプリング８Ｎで同一の加圧力を行なっていた。塗布ブラシの巻き目により長手方向に潤滑材が移動して、画像形成装置本体の開閉可能な前扉が配置されているフロント側（以下、単に「フロント側」と記す。なお、その反対側を「リア側」と記す。）のケースの側板に突き当たる。これによりフロント側に摺動抵抗がかかるため実質的にフロント側の加圧力が下がる結果となる。これにより潤滑材の塗布される削れ量がフロント側が少なくなってしまい、感光体へのトナー添加剤の固着や、感光体異常摩耗が発生したりしてしまう。
【００２０】
（実施例１）
図９は、本発明の潤滑剤塗布装置における加圧手段の一実施形態の構成を示す図である。
図９に示すように、加圧スプリングをフロント側とリア側とでそれぞれ独立して動作及び圧力を付加できるように設け、またその引張力もフロント側では８．５N、リア側では７．５Nにすることで、上記摺動負荷によるフロント側の加圧不足を補正することで、感光体へ作用するさまざまな不具合を防止させる。
【００２１】
（実施例２）
図１０は、本発明の潤滑剤塗布装置における加圧手段の他の実施形態の構成を示す図である。図１０に示すように、加圧スプリングをフロント側とリア側とでそれぞれ独立して設け、またその引張力もフロント側では１０N、リア側では８Nにすることで、上記摺動負荷によるフロント側の加圧不足を補正することで、感光体へ作用するさまざまな不具合を防止させる。
【００２２】
上述した実施例１、２及び比較例１の潤滑剤塗布装置を用いて、加速評価試験を行った。
トナーを２成分系現像剤として用いる場合には、磁性キャリアと混合して用いれば良く、現像剤中のキャリアとトナーの含有比は、現像剤としてトナー濃度が１〜２０wt％が好ましい。磁性キャリアとしては、粒子径２０〜２００μｍ程度の鉄粉、フェライト粉、マグネタイト粉、磁性樹脂キャリアなど従来から公知のものが使用できる。また、被覆材料としては、例えばアクリル樹脂、ポリメチルメタクリレート樹脂、ポリアクリロニトリル樹脂、ポリ酢酸ビニル樹脂、ポリビニルアルコール樹脂、ポリビニルブチラール樹脂、ポリスチレン樹脂およびスチレンアクリル共重合樹脂等のポリスチレン系樹脂、ポリ塩化ビニル等のハロゲン化オレフィン樹脂、ポリエチレンテレフタレート樹脂およびポリブチレンテレフタレート樹脂等のポリエステル系樹脂、ポリカーボネート系樹脂、ポリエチレン樹脂、ポリ弗化ビニル樹脂、ポリ弗化ビニリデン樹脂、ポリトリフルオロエチレン樹脂、ポリヘキサフルオロプロピレン樹脂、弗化ビニリデンとアクリル単量体との共重合体、弗化ビニリデンと弗化ビニルとの共重合体、テトラフルオロエチレンと弗化ビニリデンと非弗化単量体とのターポリマー等のフルオロターポリマー、およびシリコーン樹脂等が使用できる。また必要に応じて、導電粉等を被覆樹脂中に含有させてもよい。導電粉としては、金属粉、カーボンブラック、酸化チタン、酸化錫、酸化亜鉛等が使用できる。これらの導電粉は、平均粒子径１μｍ以下のものが好ましい。平均粒子径が１μｍよりも大きくなると、電気抵抗の制御が困難になる。
本発明に用いるトナーは、熱可塑性の樹脂、ワックス等の離型剤、カーボンブラック等の着色剤を適宜溶融混合し必要に応じて増感材を添加し均一に分散する事で容易に作成できる。トナーの体積平均粒径は４〜１０μｍが好ましい。平均粒径が１０μｍ以下の小粒径トナーを用いると、現像剤のかさ密度を高めることができるため、安定した剤の攪拌・搬送が可能となり、転写残トナーの回収効率も向上する。微少ドットの再現性について、この範囲では、微小な潜像ドットに対して、十分に小さい粒径のトナー粒子を有していることから、ドット再現性に優れる。画像の安定性が高くなる。
【００２３】
トナーの形状が球形に近くなると、トナー間の接触状態が点接触となるためにトナー同士の吸着力は弱まりしたがって流動性が高くなり剤とトナーの攪拌効率も向上する。
また、トナーと感光体との接触状態が点接触になるために、トナーと感光体との吸着力も弱くなって、転写率は高くなり高画質化に寄与する。更に、通常の流動性向上剤にシリカ等がよく用いられるが、例えば、このシリカの平均一次粒径は通常１０〜３０ｎｍ、嵩密度が０．１〜０．２ｍｇ／ｃｍ３である。流動性向上剤としては、具体的には、ＳｉＯ２、ＴｉＯ２、Ａｌ２Ｏ３、ＭｇＯ、ＣｕＯ、ＺｎＯ、ＳｎＯ２、ＣｅＯ２、Ｆｅ２Ｏ３、ＢａＯ、ＣａＯ、Ｋ２Ｏ、Ｎａ２Ｏ、ＺｒＯ２、ＣａＯ・ＳｉＯ２、Ｋ２Ｏ（ＴｉＯ２）ｎ、Ａｌ２Ｏ３・２ＳｉＯ２、ＣａＣＯ３、ＭｇＣＯ３、ＢａＳＯ４、ＭｇＳＯ４、ＳｒＴｉＯ３等を例示することができ、好ましくは、ＳｉＯ２、ＴｉＯ２、Ａｌ２Ｏ３があげられる。特にこれら無機化合物は各種のカップリング剤、ヘキサメチルジシラザン、ジメチルジクロロシラン、オクチルトリメトキシシラン等で疎水化処理が施されていてもよい。
【００２４】
以上説明したキャリアとトナーとを用いて、潤滑剤塗布装置を備える画像形成装置を、下記＜評価条件＞でメダカ、スジ状地汚れをの加速評価を実施した。
＜評価条件＞
・原稿・転写材サイズ：Ａ４
・原稿送り方向：横（２１０ｍｍ）
・カラーモード：フルカラー（４色）と黒トナーとイエロートナー、マゼンタトナーと至難トナーのベタ画像を重ねた画像を交互に１：１の割合で形成した。
・１回あたりのプリント枚数（1回あたりの転写材出力枚数）：１０００枚（１ｋＰ）
以上説明した画像で、計１００００（１０ｋＰ）枚画像を出力した時の、黒トナーのベタ画像で、ハメダカ、スジ状地汚れの発生を評価した。結果を表１に示す。
メダカとは、トナーに含まれるシリカ等の流動性付与剤が感光体上に固着する現象であり、潤滑剤が感光体上に少なくなると発生しやすくなる。スジ状地汚れは、非画像部にうっすらしたスジがタテ状に表れる現象で、メダカと同様に、潤滑剤が感光体上に少なくなると発生しやすくなる。したがって、これで、感光体上の潤滑剤の効果について加速評価を行った。
【００２５】
【表１】
2010145877.tif 000003
表１から明らかなように、ベタ画像のトナー付着量を変えて、メダカ、スジ状地汚れの発生状況を評価したが、加圧力を同じにした比較例では、３ｋＰまでにメダカ、スジ状地汚れが発生してしまい、実際に、市場で用いることはできないレベルであった。それに対して、フロント側とリア側の加圧力を変えた場合は、トナー付着量が多く、潤滑剤を感光体から除去する効果の大きい系では、３ｋＰでメダカの発生があったが、通常の画像上に明確に表れるレベルではなく、実際の市場で用いることには問題のないレベルであった。
【００２６】
図１１は、本発明の潤滑剤塗布装置における加圧手段の他の実施形態の構成を示す図である。図１１に示すように、複数の加圧手段として、それぞれ圧縮スプリングと加圧コロとで構成するものであったが、図１１に示すような圧縮スプリングのみで構成されるものであってもよい。
【図面の簡単な説明】
【００２７】
【図１】本発明の実施形態に係る潤滑剤塗布装置を備える画像形成装置を示す概略構成図である。
【図２】本発明の実施形態に係る潤滑剤塗布装置を備えるプロセスカートリッジ示す概略構成図である。
【図３】上述したプロセスカートリッジの部分拡大図であり、（ａ）は、組み立て図であり、（ｂ）は、組み立て後の図である。
【図４】潤滑剤を潤滑剤保持部材に配置してケースに収容した状態を示す図であり、（ａ）は、一部開放斜視図、（ｂ）は、潤滑剤保持部材の長さ方向に直交する断面図、（ｃ）は、潤滑剤保持部材の長さ方向に沿った部分断面図である。
【図５】塗布ブラシの構成を示す図である。
【図６】潤滑剤塗布機構の長手方向に消費される偏差が生ずる状態を示す模式図である。
【図７】潤滑剤塗布機構の長手方向に消費される偏差が生じたことにより、潤滑剤の状態を示す模式図である。
【図８】従来の潤滑剤塗布装置における加圧手段の実施形態の構成を示す図である。
【図９】本発明の潤滑剤塗布装置における加圧手段の一実施形態の構成を示す図である。
【図１０】本発明の潤滑剤塗布装置における加圧手段の他の実施形態の構成を示す図である。
【図１１】本発明の潤滑剤塗布装置における加圧手段の他の実施形態の構成を示す図である。
【符号の説明】
【００２８】
１０    感光体
１１    ケース
１２    側板
２０    潤滑剤塗布装置
２１    潤滑剤
２２    塗布ブラシ２２
２２ａ  軸
２２ｂ  基布
２３    塗布ブレード
２４    潤滑剤保持部材
２５    潤滑剤ホルダ
２６    加圧アーム
２６ａ  加圧スプリング
２７    下流側内壁面
３０    クリーニング装置
３１    クリーニングブレード
４０    帯電装置
４１    帯電ローラ
４２    押圧手段
５０    現像装置
５１    現像ローラ
５２    混合ローラ
５３    供給ローラ
６０    露光装置
１１０  読み取り部
１１１  第１読み取り走行体
１１２  第２読み取り走行体
１１３  結像レンズ
１１４  読み取りセンサ
１２０  画像形成部
１２１  プロセスカートリッジ
１２２  中間転写ベルト
１２３  二次転写ローラ
１２５  一次転写ローラ
１２６  定着装置
１２７  排紙ローラ
１２８  排紙収容部
１３０  給紙部
１３１  給紙カセット
１３２  給紙ローラ
１３３  レジストローラ
２００  画像形成装置
【図１】
2010145877.tif 000004
【図２】
2010145877.tif 000005
【図３】
2010145877.tif 000006
【図４】
2010145877.tif 000007
【図５】
2010145877.tif 000008
【図６】
2010145877.tif 000009
【図７】
2010145877.tif 000010
【図８】
2010145877.tif 000011
【図９】
2010145877.tif 000012
【図１０】
2010145877.tif 000013
【図１１】
2010145877.tif 000014